(57)【要約】      （修正有）【課題】第一もしくは第二の電子機器をそれぞれ個別に使用する際には容易に着脱可能であると同時に、結合して結合システムとして使用する際には使用者が充分な情報を入力でき且つ使用者に充分な情報を当該電子機器のディスプレ−に表示できてマンマシーン性能を大幅に向上できる結合システム・アクセサリを提供する。【解決手段】携帯型もしくは可搬型である第一の電子機器と第二の電子機器とにおける夫々の一部を装着して保持する二つのポケットを有しており、当該ポケットはヒンジ部（回転部）０１１を介して互いに結合していて、ヒンジ部（回転部）０１１の回転角度に独立で第一、第二の電子機器を着脱できる。当該ポケットの長さ（高さ）は第一、第二の電子機器が有する表示部（ディスプレ−）以外の長さ（高さ）方向における一方の先端部分の長さ（高さ）とほぼ同じか少ないかの手段を持つ。当該結合システム・アクセサリには電気接続端子を設けずに第一、第二の電子機器同志で直接電気的に接続する手段を持つ。【選択図】図１
0003197452.tif 000002
【実用新案登録請求の範囲】
【請求項１】
携帯型もしくは可搬型である第一の電子機器と第二の電子機器とにおける夫々の一部を装着して保持する二つのポケットを有しており、当該ポケットはヒンジ部（回転部）を介して互いに結合している、結合システム・アクセサリ。
【請求項２】
請求項１において、当該ポケットの長さ（高さ）は前記第一、第二の電子機器が有する表示部（ディスプレ−）以外の長さ（高さ）とほぼ同じか少ないかの手段を持つ、結合システム・アクセサリ。
【請求項３】
請求項１において、当該結合システム・アクセサリには電気接続端子を設けずに前記第一、第二の電子機器同志で直接電気的に接続する手段を持つ、結合システム・アクセサリ。
【請求項４】
請求項１において、当該ポケットから前記第一、第二の電子機器が当該結合システム・アクセサリから自然に脱落することを防止するために、当該ポケットにはピン（突起部分）を設けた結合システム・アクセサリ。
【請求項５】
請求項１において、前記第一の電子機器は第一のスマートフォンであり、前記第二の電子機器は第二のスマートフォンもしくはデジタルカメラである、結合システム・アクセサリ。
【請求項６】
使用者の例えば上着のポケットに入れて当該結合システムに装着された第一のスマートフォン、第二のスマートフォンもしくはデジタルカメラのいずれかだけを個別に使用する際に、それらを手探りだけで選び出すため当該結合システム・アクセサリの一部分は異なる、結合システム・アクセサリ。
【考案の詳細な説明】
【技術分野】
【０００１】本発明は、例えば、スマートフォンまたはデジタルカメラのような第一、第二の携帯形およびもしくは可搬送形電子機器を同時に携帯して個別に使用したり、それらを結合して使用する結合システム・アクセサリに関する。
本発明は、前記第一もしくは第二の電子機器をそれぞれ個別に使用する際には容易に着脱可能であると同時に、結合してシステムとして使用する際には使用者が充分な情報を入力でき且つ使用者に充分な情報を前記電子機器の表示部（ディスプレ−）に表示できてマンマシーン性能を大幅に向上できる結合システム・アクセサリに関する。
【背景技術】
【０００２】従来、この種の目的に対応して知られている特許文献として特許公報第５７３８００２号（特願２０１３−０３０４１７）が知られている。
この特許文献に記載されている装置の課題としては下記がある。
（１）前記第一、第二の電子機器とを収納するフォルダーに電気接続端子（コネクタ）があり、その電気接続端子（コネクタ）から前記第一、第二の電子機器を着脱するために、着脱が容易でないこと。
（２）前記第一、第二の電子機器とそれらを収納するフォルダー含めた重量が重くて嵩張ること。
本発明の目的は、前記第一、第二の電子機器とを携帯して結合して使用する際にもこれらの電子機器に付加される結合システム・アクセサリのサイズと重量の割合が相対的小さいと同時に前記第一、第二の電子機器のいずれかを個別で使用する時には、当該結合システム・アクセサリから前記第一、第二の電子機器を容易に着脱すること、である。
【課題を解決するための手段】
【０００３】  携帯型もしくは可搬型であり、実効的に直方体形状の第一の電子機器と第二の電子機器とを結合してシステムを構成するために回転部分を介して物理的に結合させる手段、と同時に前記第一の電子機器と第二の電子機器とが個別に容易に着脱して使用ができるように、第一と第二の直方体型実効的ポケット部分を有しており、それらポケットの内部に前記第一、第二の電子機器における先端部分の一方を出し入れ（着脱）する手段を持つ結合システム・アクセサリであって、更に前記第一と第二のポケットの周辺を構成する４面の長さ（高さ）は、夫々前記第一、第二の電子機器の長さ（高さ）よりも短くして前記第一、第二の電子機器が当該結合システム・アクセサリに対して容易に着脱できる手段を持つこと、を特徴とする結合システム・アクセサリである。
更に、当該ポケットの長さ（高さ）は前記第一、第二の電子機器が有する表示部（ディスプレ−）の前記先端部分の長さ（高さ）とほぼ同じか少ないかの手段を持つこと、を特徴とする結合システム・アクセサリである。
更に、当該結合システム・アクセサリには電気接続端子を設けずに前記第一、第二の電子機器同志で直接電気的に接続する手段を持つこと、を特徴とする結合システム・アクセサリである。
更に、当該ポケットから前記第一、第二の電子機器が当該結合システム・アクセサリから自然に脱落することを防止するために、当該ポケットにはピン（突起部分）を設けること、を特徴とする結合システム・アクセサリである。
更に、使用者の、例えば、上着のポケットに入れて当該結合システムに装着されたスマートフォン１またはスマートフォン２もしくはデジタルカメラのいずれか一方だけを個別に使用する際に、それらを手探りだけで選び出すため当該結合システム・アクセサリにおいてコーナーカットの形状を左側と右側で変えておく手段を持つこと、を特徴とする結合システム・アクセサリである。
ここで、実効的に直方体形状の前記第一第二電子機器とは、例えば、スマートフォンおよびもしくはデジタルカメラに代表される携帯型、可搬型の電子機器である。即ち、これらの電子機器は角部分の形状はラウンドであり、又部分的には例えばスイッチやレンズ鏡筒部分が本体から突起したりへこんだりした形状を持つが、全体的には実効的に直方体形状と見做すことが可能である。
又、前記実効的ポケット形状とは、当該ポケットが前記第一第二の電子機器を保持できる構造を言う。
即ち、当該ポケットの一部に空間があっても良い。
【本発明の効果】
【０００４】本発明によって、下記の効果を得ることができる。
（１）使用者は、第一、第二の電子機器を当該結合システム・アクセサリに装着して携帯して、必要に応じて前記第一、第二の電子機器とを当該結合システム・アクセサリによって物理的に結合してシステムを構成する。それによって、使用者が充分な情報を入力でき且つ使用者に充分な情報を前記第一、第二の電子機器の夫々の表示部（ディスプレ−）に表示できてマンマシーン性能を大幅に向上できる
（２）使用者が前記第一、第二の電子機器を個別に使用する時には、前記第一、第二の電子機器の先端部の他方を使用者の手指でつかんで当該結合システム・アクセサリから容易に着脱することができる。
（３）前記第一、第二の電子機器と当該結合システム・アクセサリを含めた重量が軽く（当該結合システム・アクセサリ部分の重量は前記第一、第二の電子機器の重量を合わせた重量の約１０％）であり、嵩張らないので容易に携帯できる。
（４）コーナーカットの形状を当該結合システム・アクセサリにおける左側と右側で変えているので衣類のポケットに当該結合システム・アクセサリにスマートフォンまたはデジタルカメラのような第一、第二の電子機器を装着した状態で携帯していて、それらの中で個別の電子機器だけが必要な時に、使用者の衣類のポケットから手探りだけで区別して容易に脱着できる。
（５）前記第一もしくは第二電子機器で使用頻度が大きい電子機器の電池切れに至る時間が実効的に大幅に長くできる。
【図面の簡単な説明】
【０００５】
【図１】：本発明を使用した結合システム・アクセサリの概略鳥瞰図である。
【図２】：本発明を使用した結合システム・アクセサリに、スマートフォンとデジタルカメラを夫々動作状態で脱着する操作の態様を示す概略鳥瞰図である。
【図３】：本発明を使用した結合システム・アクセサリに、スマートフォンとデジタルカメラとを装着して、結合してシステムとして使用する時の概略鳥瞰図である。
【図４】：本発明を使用した結合システム・アクセサリに、スマートフォンと別のデジタルカメラとを着脱する態様を説明する概略鳥瞰図である。
【符号の説明】
【０００６】００２：結合システム・アクセサリ左側（ポケットを下面として）外面
００３：結合システム・アクセサリ左側外側面
００４：結合システム・アクセサリ左側内面（ポケットの一部）
００５：結合システム・アクセサリ左側内側面
００６：結合システム・アクセサリ右側外面
００７：結合システム・アクセサリ右側外側面
００８：結合システム・アクセサリ右側内面（ポケットの一部）
００９：結合システム・アクセサリの右側内側面
０１０：結合システム・アクセサリ
０１１：結合システム・アクセサリのヒンジ部（回転部）
０２０：スマートフォン１
０３０：スマートフォン２もしくはデジタルカメラ
０３１：スマートフォン１の電気接続部（コネクタ：メス）
０３２：スマートフォン１の電気接続部（コネクタ：メス）
０３３：ケーブル３７のスマートフォン１側の電気接続部（コネクタ：オス）
０３４：ケーブル３７のスマートフォン２もしくはデジタルカメラ側の電気接続部（コネクタ：オス）
０３５：ＡＣ電源アダプタ
０３６：ＡＣ電源プラグ
０３７：ケーブル
０４２：スタンド（ストッパ）
０４３：レンズ、鏡筒（裏側）
０４４：レンズ、鏡筒（表側）
０４５：ズームレバー
０４６：シャッタ
０４７：スマートフォン２もしくはデジタルカメラで厚い部分
０５１：ピン（突起部）
０５２，０５３：結合システム・アクセサリ左側のコーナカット１
０５４，０５５：結合システム・アクセサリ右側のコーナカット１
０５６：スマートフォン１の表示部（ディスプレー部）
０５７：スマートフォン２もしくはデジタルカメラの表示部（ディスプレー部）
０５８：スマートフォン１とスマートフォン２もしくはデジタルカメラを保持する爪（つめ）
【本発明を実施する最良の形態】
【０００７】以下の説明では、図面を作成する際の制約のために、本発明を構成する一部（例えば、電子機器の使用者）の要素を図面で表現できない点に留意する。また、実施例に示す鳥瞰図の一部の表現を平面図で示す或いは遠近であっても画一のスケールで図面を作成しており不自然であるが、説明を分かり易くするために敢えて用いたこに留意する。
【実施例１】
【０００８】本発明の基本構成を図１、２、３を用いて説明する。
本発明での使用者は、図２に示す第一の電子機器であるスマートフォン１  ０２０と第二の電子機器であるスマートフォン２もしくはデジタルカメラ０３０を保持していることを前提とする。
図１は、本発明が適用される結合システム・アクセサリ０１０の概略鳥瞰図である。
図１において、００２，００３，００４，００５は、スマートフォン１  ０２０が着脱する結合システム・アクセサリ０１０に於いて左側（下記の実効的ポケットを下部として）、夫々背面（アクセサリの外面）、側面１、表面（アクセサリの内面）、側面２（ヒンジ部分０１１を一部構成する面）である。
図１に示すように、００４の高さ（長さ）で００４並びに００２，００３，００５の一部とで実効的なポケットを構成してスマートフォン１  ０２０の一部（先端部の一方）をそこに装着する。
図１において、００６，００７，００８，００９は、スマートフォン２もしくはデジタルカメラ０３０を着脱する結合システム・アクセサリ０１０に於いて右側（下記の実効的ポケットを下部として）夫々背面（アクセサリの外面）、側面１、表面（アクセサリの内面）、側面２（ヒンジ部分０１１を一部構成する面）ある。図１に示すように、００８の高さ（長さ）で００８並びに００６  ００７，００９の一部とで実効的なポケットを構成してスマートフォン１  ０２０の一部（先端部の一方）をそこに装着する。
図１において、０１１は結合システム・アクセサリ０１０のヒンジ部分である。
図１における００２，００３，００４，００５と００６  ００７，００８，００９とは、例えば、射出成形法で加工されたプラスティック（樹脂）で構成される。図１における前記実効ポケットの高さは、図２に示す第一、第二の電子機器０２０，０３０の表示部（ディスプレー部）０５６，０５７の長さ（高さ）方向の周辺部分（先端部）のな長さ（高さ）とほぼ同じかそれよりも短い長さ（高さ）である。つまり、表示部（ディスプレー部）は通例タッチパネルを使うので、当該結合システム・アクセサリ０１０に、前記電子機器を装着したままでも、表示部に使用者の指を直接タッチして操作できることが特徴である。しかも、当該結合システム・アクセサリ０１０の樹脂が透明であれば、前記実効ポケット部分でも目視は可能である。【０００９】図１における結合部分（ヒンジ部分）０１１は、例えば、変形量が大きいフレキシブル樹脂テープで構成されており、その両側面は、００５と００９とに接着されている。０１１の回転角度は、例えば、０度（００４と００８の表面（結合システム・アクセサリ０１０の内面）同志が互いに向き合っている状態から、１８０度（００４と００８の表面（結合システム・アクセサリ０１０の内面）同志が、例えば、机など結合システム・アクセサリ０１０がおかれた水平面（机と平行面）にほぼ互いが等しい状態）まで変化する。【００１０】図１において、０５１は結合システム・アクセサリ０１０の前記実効的なポケット部分における４つの面に設けたピン（突起）である。０５１は、第一の電子機器であるスマートフォン１  ０２０と第二の電子機器であるスマートフォン２もしくはデジタルカメラ０３０を保持している時にそれらの電子機器が結合システム・アクセサリ０１０の前記ポケット部分に第一の電子機器であるスマートフォン１  ０２０と第二の電子機器であるスマートフォン２  ０３０とが結合システム・アクセサリ０１０の傾きによって、自然に脱落しないように設けている。これらのピン（突起）も前記射出成形法成で同時に形成される。これらの当該ピン（突起部）０５１は、当該結合システム・アクセサリ０１０における対向する二つの面、例えば、００２と００４もしくは００６と００８とにだけ設けても良い。
更に、第一、第二の電子機器が装着された状態において、当該結合システム・アクセサリ０１０の当該ピン（突起部）０５１に対応する位置に、凹み部を設けても良い。０５１の形状は、例えば、半径が０．５ｍｍの半球状、もしくは、半径が０．５ｍｍであって長さが３ｍｍのかまぼこ状である。
図１において、０５８は、前記第一、第二の電子機器を前記実効ポケットと共に保持するための「爪」＝つめである。【００１１】図２は、当該結合システム・アクセサリ０１０に第一の電子機器であるスマートフォン１  ０２０と第二の電子機器であるスマートフォン２もしくはデジタルカメラ０３０とを夫々動作させた状態のままで着脱する時の概略鳥瞰図である。
図２において、ヒンジ部０１１に向かって対向する面に、夫々の電子機器の表示部（ディスプレィ部）０５２，０５３が配備される。
図２に示すように、例えば、前記第一の電子機器であるスマートフォン１  ０２０と第二の電子機器であるスマートフォン２もしくはデジタルカメラ０３０とを充電する時に不可欠な、充電ケーブル用の夫々の電気接続端子（コネクタ）０３１，０３２は、前記ｊ実効的ポケット側ではない先端部分の他方に配備されている。
そして、図２に示すように一つのＡＣ電源アダプタ０３５と電源プラグ０３６から電気接続端子０３３，０３４を経由して前記第一、第二の電子機器を同時に充電する。同時に、前記第一の電子機器であるスマートフォン１  ０２０と第二の電子機器であるスマートフォン２もしくはデジタルカメラ０３０とにおいて、電力消費量が大きい電子機器側をそれと相対的に余裕がある電子機器側から電力を供給することも可能である。【００１２】図３は、当該結合システム・アクセサリ０１０に第一の電子機器であるスマートフォン１  ０２０と第二の電子機器であるスマートフォン２もしくはデジタルカメラ０３０とが結合システム・アクセサリ０１０によって結合したシステムとして動作している状態の概略鳥瞰図である。
図２、図３に示すように、例えば、硬い樹脂で構成されたスタンド（ストッパ）０４２によって、第二の電子機器であるスマートフォン２もしくはデジタルカメラ０３０を使用者がその表示画面（例えば、スマートフォン２もしくはデジタルカメラ０３０のカメラ部分のレンズ、鏡筒０４４で撮影した画像）を表示部（ディスプレー部）０５２に表示する）を見ながら、第一の電子機器であるスマートフォン１  ０２０を用いて、タッチパネルで構成される、ソフトキーボード（一部図示）を用いて、前記表示画面に係る説明文、コメントなどのテキスト情報を入力して、前記第一の電子機器であるスマートフォン１  ０２０の表示部（ディスプレイ部）に表示することができる（図示せず）。レンズ、鏡筒０４４は５倍の光学ズーム機能があり、ズームレバー０４５を操作して鏡筒を前に伸び出させるかミラー（図示せず）で９０度屈折させて光路長を変化させて実現している。シャッタ０４６を押して、被写体を撮影して、画像情報を得る。【００１３】図１に示す結合システム・アクセサリ０１０のサイズは、００２が長さ（高さ）１０ｃｍ，幅６ｃｍ，００３が長さ（高さ）５．２ｃｍ、幅１．１ｃｍ，００４が長さ（高さ）が１．５ｃｍ、幅が６ｃｍ，００５が長さ（高さ）が１０ｃｍ，幅１．１ｃｍである。樹脂板の厚さは、ピン（突起部分）０５１を除いて、１ｍｍである。
また、００６が長さ（高さ）１０ｃｍ，幅６ｃｍ，００７が長さ（高さ）５．２ｃｍ、幅１．１ｃｍ，００８が長さ（高さ）が１．５ｃｍ，幅６ｃｍ，００９が長さ（高さ）が１０ｃｍ，幅１．１ｃｍである。
樹脂板の厚さは、ピン（突起部分）０５１を除いて、１ｍｍである。
ピン（突起部分）は、およそ半径が０，．５ｍｍの半球状もしくは半径が０，．５ｍｍ，長さが３ｍｍである。また、結合システム・アクセサリ０１０の部分の重量は約３０ｇｒａｍであり全体の重量の１０％以下である。
これらは、結合システム・アクセサリ左側（ポケットを下面として）００２，００３，００４，００５、結合システム・アクセサリ右側（ポケットを下面として）００６，００７，００８，００５９並びにピン（突起部分）０５１がいずれも成形法でプラスティック（樹脂）を加工している。
図２，３において、レンズ，
鏡筒０４３，０４４の位置は、スマートフォン２もしくはデジタルカメラ０３０の高さ（長さ）方向の先端部分であれば、その位置で上部、中央部、下部のいずれに配置しても良い。【００１４】ヒンジ部０１１が、樹脂テープ状の時は、スマートフォン１  ０２０、スマートフォン２もしくはデジタルカメラ０３０の片方の重みで強度が保てない時には、例えば、前記、実効的ポケット部（００４，００２，００３，００５で構成）の底部の一部と実効的ポケット部（００８，００６，００７，００９で構成）の底部の一部とにヒンジ部０１１を横断した保持板（図示せず）を設けても良い。【００１５】更に、使用者の例えば上着のポケットに入れて当該結合システム・アクセサリ０１０に装着されたスマートフォン１  ０２０またはスマートフォン２もしくはデジタルカメラ０３０のいずれかを個別に使用する際に、それらを手探りだけで選び出して当該結合システム・アクセサリ０１０から容易に外したい、場合がある。
その際に、図１に示すように、当該結合システム・アクセサリ０１０における樹脂板のコーナー部を左側は０５２，０５３と右側は０５４，０５５のように形状を変えておく手段を用いれば、片手で手探りすることで所定の電子機器を着脱できるので極めて効果が大きい。
また、使用者が第一、第二の電子機器０２０、０３０を当該結合システム０１０で閉じた状態で保持する際には、例えば、バンドもしくは留め金（図示せず）を用いても良い。
【実施例２】
【００１６】図４は、本発明の別の実施例を示す。図４において、実施例１と同じ部分については同一番号を付して説明を省略する。
図４において、デジタルカメラ０３０は、光学ズーム特性を改善するためにレンズ・鏡筒部分０３９のみの厚さを他の部分、例えば、表示部（ディスプレー部）０５３よりも厚く２．０ｃｍとしている。
これによって、光学ズーム特性を実施例１の５倍に対して、実施例２では１０倍を得ている。
図４において、当該結合システム・アクセサリ０１０は、実施例１と同じ構造である。
以上、本発明を実施例１と２で説明してきたが、本発明の基本的な理念と具現例はこれらに留まらない。例えば、当該システム・アクセサリ０１０を構成する材料としては、プラスティック（樹脂）を例として説明したが、例えば、レザー（皮）、紙、布、木材であっても良い。ヒンジ部０１１並びにスタンド（ストッパ）部０４２も樹脂以外の材、例えば、金属、紙、レザー（皮）であっても良い。また、第一、第二の電子機器としては、スマートフォンとデジタルカメラで説明してきたが、ビデオカメラ、テレビ、携帯電話であっても良い。
【図１】
0003197452.tif 000003
【図２】
0003197452.tif 000004
【図３】
0003197452.tif 000005
【図４】
0003197452.tif 000006
【手続補正書】
【提出日】平成27年2月18日(2015.2.18)
【手続補正１】
【補正対象書類名】実用新案登録請求の範囲
【補正対象項目名】全文
【補正方法】変更
【補正の内容】
【実用新案登録請求の範囲】
【請求項１】
携帯型もしくは可搬型である第一の電子機器と第二の電子機器とにおける夫々の一部を装着して保持する二つのポケットを有しており、当該ポケットはヒンジ部（回転部）を介して互いに結合していて、前記ヒンジ部（回転部）の回転角度に独立で前記第一、第二の電子機器を着脱できる、結合システム・アクセサリ。
【請求項２】
請求項１において、当該ポケットの長さ（高さ）は前記第一、第二の電子機器が有する表示部（ディスプレ−）以外の長さ（高さ）方向における一方の先端部分の長さ（高さ）とほぼ同じか少ないかの手段を持つ、結合システム・アクセサリ。
【請求項３】
請求項１において、当該結合システム・アクセサリには電気接続端子を設けずに前記第一、第二の電子機器同志で直接電気的に接続する手段を持つ、結合システム・アクセサリ。
【請求項４】
請求項１において、当該ポケットにピン（突起部分）を設けた結合システム・アクセサリ。
【請求項５】
請求項１において、前記第一の電子機器は第一のスマートフォンであり、前記第二の電子機器は第二のスマートフォンもしくはデジタルカメラである、結合システム・アクセサリ。
【請求項６】
請求項１において、前記第一、第二の電子機器を装着する当該結合システム・アクセサリにおける前記電子機器を装着するコーナーカット部分の形状が夫々異なる、結合システム・アクセサリ。
【手続補正２】
【補正対象書類名】図面
【補正対象項目名】図１
【補正方法】変更
【補正の内容】
【図１】
0003197452.tif 000007